(57)【要約】【課題】移動可能なセイフティストッパーを備え、窓の開き具合を制限でき、任意の位置で固定できる、移動可能なセイフティストッパーを備えた窓枠の提供。【解決手段】主に窓枠とセイフティストッパーから構成され、そのうち、前記窓枠が遮音防水性の外枠と、前記セイフティストッパー及びガイド溝を備えた内枠を含み、前記内枠のガイド溝には固定具が設置され、前記窓枠の外枠及び内枠は上枠体、下枠体、左枠体及び右枠体を備え、そのうち、前記外枠の上枠体、下枠体に軌道が設けられ、且つ、前記内枠の下枠体に前記ガイド溝と、前記セイフティストッパーと組み合わせる前記固定具が設置され、これにより、前記下枠体のガイド溝、固定具及びセイフティストッパーで内枠の移動の制限または固定を行う。  【選択図】図３
0003123229.tif 000002
【実用新案登録請求の範囲】
【請求項１】
主に、窓枠とセイフティストッパーから構成され、そのうち、前記窓枠が遮音防水性の外枠と、前記セイフティストッパー及びガイド溝を備えた内枠を含み、前記内枠のガイド溝には固定具が設置され、前記窓枠の外枠及び内枠は上枠体、下枠体、左枠体及び右枠体を備え、そのうち、前記外枠の上枠体、下枠体に軌道が設けられ、且つ、前記内枠の下枠体に前記ガイド溝と、前記セイフティストッパーと組み合わせる前記固定具が設置され、これにより、前記下枠体のガイド溝、固定具及びセイフティストッパーで内枠の移動の制限または固定を行う構成としたことを特徴とする移動可能なセイフティストッパーを備えた窓枠。        
【請求項２】
前記セイフティストッパーが移動片体、固定突起、嵌設槽及び固定機構を含み、且つ、前記内枠の上枠体、下枠体、左枠体、右枠体のガイド溝、槽部、穿通孔及び固定具と組み合わされ、前記内枠の移動の制限及び固定を行う構成としたことを特徴とする請求項１に記載の移動可能なセイフティストッパーを備えた窓枠。
【請求項３】
前記固定機構が、弾性スイッチ、キーロック、手動スイッチ、定時スイッチ、回転ボタン及び関連の前記内枠の移動を制限または固定できる固定装置とすることができる構成としたことを特徴とする請求項２に記載の移動可能なセイフティストッパーを備えた窓枠。
【請求項４】
前記セイフティストッパーが、窓枠の上側軌道、下側軌道、外側軌道、中心軌道及び内側軌道上に設置でき、前記セイフティストッパーと窓枠のガイド溝、槽部、穿通孔及び固定具を組み合わせ、内枠の移動の制限または固定を行うことができる構成としたことを特徴とする請求項１に記載の移動可能なセイフティストッパーを備えた窓枠。
【考案の詳細な説明】
【技術分野】
【０００１】
本考案は移動可能なセイフティストッパーを備えた窓枠の構造に関し、詳細には、外枠の上枠体及び下枠体に軌道を設け、且つ、内枠の下枠体にガイド溝を設置し、セイフティストッパーと組み合わせて制限を形成する固定具が設けられ、これにより下枠体のガイド溝、固定具及びセイフティストッパーで内枠の制限または固定の目的を達することができる、移動可能なセイフティストッパーを備えた窓枠に関する。
【背景技術】
【０００２】
一般的な従来の窓枠Ａは図１及び図２に示すように、窓枠Ａの外枠Ａ１及び内枠Ａ２間にストッパーＡ３が設置され、且つ、前記内枠Ａ２の左側枠体Ａ４及び他方の内枠Ａ２の右側の枠体Ａ５に対応する鍵部Ａ６及びフックＡ７が設けられているが、前記外枠Ａ１及び内枠Ａ２間のストッパーＡ３は鍵部Ａ６が衝撃を受けるのを防止しているのみであり、使用者が内枠Ａ２の開放距離を制限したい場合、窓枠Ａの外枠Ａ１及び内枠Ａ２間に嵌めこまれたストッパーＡ３は位置の制限及び調整の目的を達することができない。
【０００３】
このため、いかに上述の欠点を排除するかが本考案の解決する技術的問題点である。
【考案の開示】
【考案が解決しようとする課題】
【０００４】
本考案の目的は、移動可能なセイフティストッパーを備え、窓の開き具合を制限でき、任意の位置で固定できる、移動可能なセイフティストッパーを備えた窓枠を提供することにある。
【課題を解決するための手段】
【０００５】
主に窓枠とセイフティストッパーから構成され、そのうち、前記窓枠が遮音防水性の外枠と、前記セイフティストッパー及びガイド溝を備えた内枠を含み、前記内枠のガイド溝には固定具が設置され、前記窓枠の外枠及び内枠は上枠体、下枠体、左枠体及び右枠体を備え、そのうち、前記外枠の上枠体、下枠体に軌道が設けられ、且つ、前記内枠の下枠体に前記ガイド溝と、前記セイフティストッパーと組み合わせる前記固定具が設置され、これにより、前記下枠体のガイド溝、固定具及びセイフティストッパーで内枠の移動の制限または固定を行う。        
【考案の効果】
【０００６】
本考案の進歩性と実用性をよりはっきりと示すため、以下、従来品と比較して分析する。
《従来品の欠点》
一、外枠及び内枠間のストッパーが鍵部を衝撃から守るだけの役割しかない。
二、外枠及び内枠間のストッパーが位置の制限及び調整を行うことができない。
三、子供が窓枠付近で遊んでいるとき、窓の外へ落ちてしまう危険がある。
《本考案の利点》
一、固定具にセイフティストッパーを組み合わせることで、窓枠の制限及び固定の目的を達することができる。
二、固定機構に固定具を組み合わせることで、窓の開く距離を制限することができる。
三、固定具にセイフティストッパーの組み合わせることで、住居の安全と侵入防止の目的を達することができる。
四、子供が窓枠付近で遊んでいるとき、窓から落ちる危険がない。
五、進歩性と実用性を備えている。
六、産業的競争力を向上できる。        
【考案を実施するための最良の形態】
【０００７】
以下、本考案について図面、符号及び具体的な実施例に基づき詳細に説明する。本考案の移動可能なセイフティストッパーを備えた窓枠は、図３及び図４に示すように、窓枠Ｃ、外枠Ｄ、内枠Ｅ、セイフティストッパーＦから構成される。
【０００８】
そのうち、前記窓枠Ｃは遮音防水性の外枠Ｄを含み、且つ、前記外枠Ｄは上枠体Ｄ１、下枠体Ｄ２、左枠体Ｄ３及び右枠体Ｄ４が設けられ、また、前記外枠Ｄの上枠体Ｄ１、下枠体Ｄ２には軌道Ｄ５が設けられる。
【０００９】
そのうち、前記窓枠Ｃは外枠Ｄに対応する内枠Ｅを含み、且つ、前記内枠Ｅは上枠体Ｅ１、下枠体Ｅ２、左枠体Ｅ３及び右枠体Ｅ４が設けられ、また、前記下枠体Ｅ２にはガイド溝Ｇが設けられ、セイフティストッパーＦを組み合わせて制限を形成する固定具Ｇ１が設置され、且つ、前記固定具Ｇ１は複数の排列された穿通孔Ｇ２を備えている。
【００１０】
図５及び図６に示すように、前記内枠Eの下枠体Ｅ２のガイド溝Ｇには固定具Ｇ１が設置され、且つ、前記固定具Ｇ１には平行に配置された槽部Ｇ３が設けられ、また、前記槽部Ｇ３はセイフティストッパーＦの移動片体Ｆ１に対応し、そのうち、前記移動片体Ｆ１は前記ガイド溝Ｇに対応する固定突起Ｆ２と、セイフティストッパーＦを固定し結合させるための嵌設槽Ｆ３が設けられる。
【００１１】
そのうち、前記移動片体Ｆ１の嵌設槽Ｆ３にセイフティストッパーＦが設置され、且つ、前記セイフティストッパーＦには固定機構Ｆ４が設けられ、また、前記固定機構Ｆ４は前記固定具Ｇ１の穿通孔Ｇ２に対応し、この制限が可能なセイフティストッパーＦを固定具Ｇ１に対応させるとき、セイフティストッパーＦの固定機構Ｆ４を介して窓枠Ｃの制限または固定の目的を達することができる。
【００１２】
本考案の実施方法は、図４、図５、図７に示すように、前記窓枠Ｃは遮音防水性の外枠Ｄを含み、且つ、前記外枠Ｄは上枠体Ｄ１、下枠体Ｄ２、左枠体Ｄ３及び右枠体Ｄ４が設けられ、また、前記外枠Ｄの上枠体Ｄ１、下枠体Ｄ２には内枠Ｅを設置するための軌道Ｄ５が設けられる。
【００１３】
そのうち、前記窓枠Ｃは前記外枠Ｄに対応する内枠Ｅが設置され、且つ、前記内枠Ｅは上枠体Ｅ１、下枠体Ｅ２、左枠体Ｅ３及び右枠体Ｅ４が設けられ、また、前記下枠体Ｅ２にはガイド溝Ｇと、セイフティストッパーＦが組み合わされて制限を形成する固定具Ｇ１が設けられ、且つ、前記固定具Ｇ１に複数の排列された穿通孔Ｇ２が開設される。
【００１４】
そのうち、前記内枠Ｅの下枠体Ｅ２にはガイド溝Ｇが設けられ、且つ、前記ガイド溝ＧにはセイフティストッパーＦに対応する固定具Ｇ１が設置され、また前記固定具Ｇ１には槽部Ｇ３が設けられ、且つ、前記槽部Ｇ３がセイフティストッパーＦの移動片体Ｆ１に対応し、そのうち、前記移動片体Ｆ１には固定突起Ｆ２と、セイフティストッパーＦが結合される嵌設槽Ｆ３が設けられる。
【００１５】
そのうち、前記移動片体Ｆ１の嵌設槽Ｆ３にはセイフティストッパーＦが設置され、且つ、前記セイフティストッパーＦには固定機構Ｆ４が設けられ、また、前記固定機構Ｆ４は前記固定具Ｇ１の穿通孔Ｇ２に対応し、制限を形成するセイフティストッパーＦを固定具Ｇ１に対応させるとき、セイフティストッパーＦの固定機構Ｆ４を介して窓枠Ｃの制限または固定の目的を達することができる。
【００１６】
また、前記ガイド溝Ｇ、固定具Ｇ１及びセイフティストッパーＦはさらに上枠体Ｅ１、下枠体Ｅ２、左枠体Ｅ３及び右枠体Ｅ４に設置することができ、且つ、前記セイフティストッパーＦはさらに上側軌道、下側軌道、外側軌道、中心軌道及び内側軌道に設置でき、セイフティストッパーＦを固定具Ｇ１の穿通孔Ｇ２に対応させるとき、セイフティストッパーＦの固定機構Ｆ４を介して窓枠Cの制限または固定の目的を達することができる。
【００１７】
そのうち、前記セイフティストッパーＦの固定機構Ｆ４はさらに弾性スイッチ、キーロック、手動スイッチ、定時スイッチ、回転ボタン及び関連の窓枠Cの制限または固定が可能な固定装置とし、セイフティストッパーＦを固定具Ｇ１の穿通孔Ｇ２に対応させるとき、セイフティストッパーＦの固定機構Ｆ４を介して窓枠Cの制限または固定の目的を達することができる。
【００１８】
図８から図１２に示すように、前記セイフティストッパーＦはさらに別々または独立させた方式で軌道Ｄ５、内枠Ｅ、ガイド溝Ｇ、固定具Ｇ１、穿通孔Ｇ２及び槽部Ｇ３を組み合わせることができ、セイフティストッパーＦ及び固定機構Ｆ４をガイド溝Ｇ、固定具Ｇ１、穿通孔Ｇ２及び槽部Ｇ３に対応させるとき、窓枠Ｃ及びセイフティストッパーＦが制限または固定の目的を達することができる。
【００１９】
以上で述べた説明は本考案の最良の実施例に基づくものであり、本考案の特許範囲を制限するものではなく、本考案の明細書及び図面の内容を運用した同等効果を得る構造を直接または間接的にその他関連技術領域に運用したものはすべて、本考案の要旨の範囲内に含まれるものとみなす。
【００２０】
上述のように、本考案は従来技術を打破する構造の下、確実にその増進を図る効果を得ることができ、且つ、関連技術を熟知した人物でなくとも容易に理解することができ、さらに、本考案はその出願前に公開されたことがなく、その進歩性、実用性は実用新案登録出願の要件を満たしているため、法に基づき実用新案登録出願を提出するものである。
【図面の簡単な説明】
【００２１】
【図１】従来の窓枠の立体斜視図である。
【図２】従来の窓枠のストッパー部分の立体斜視図である。
【図３】本考案の立体斜視図である。
【図４】本考案の立体分解図である。
【図５】本考案のガイド溝とストッパー部分の立体斜視図である。
【図６】本考案の側面断面図である。
【図７】本考案の実施例１の立体斜視図である。
【図８】本考案の実施例２の立体斜視図である。
【図９】本考案の実施例３の立体斜視図である。
【図１０】本考案の実施例４の立体斜視図である。
【図１１】本考案の実施例５の立体斜視図である。
【図１２】本考案の実施例６の立体斜視図である。
【符号の説明】
【００２２】
Ａ、Ｃ      窓枠
Ａ１        外枠
Ａ２        内枠
Ａ３        ストッパー
Ａ４        左側枠体
Ａ５        枠体
Ａ６        鍵部
Ａ７        フック
Ｄ          外枠
Ｄ１、Ｅ１    上枠体
Ｄ２、Ｅ２    下枠体
Ｄ３、Ｅ３    左枠体
Ｄ４、Ｅ４    右枠体
Ｄ５        軌道 
Ｅ          内枠
Ｆ          セイフティストッパー
Ｆ１        移動片体
Ｆ２        固定突起
Ｆ３        嵌設槽
Ｆ４        固定機構
Ｇ          ガイド溝
Ｇ１        固定具
Ｇ２        穿通孔 
Ｇ３        槽部
【図１】
0003123229.tif 000003
【図２】
0003123229.tif 000004
【図３】
0003123229.tif 000005
【図４】
0003123229.tif 000006
【図５】
0003123229.tif 000007
【図６】
0003123229.tif 000008
【図７】
0003123229.tif 000009
【図８】
0003123229.tif 000010
【図９】
0003123229.tif 000011
【図１０】
0003123229.tif 000012
【図１１】
0003123229.tif 000013
【図１２】
0003123229.tif 000014